(57)【特許請求の範囲】
【請求項１】
折り畳み書面であって、
左右方向に横長の長方形用紙に印刷されており、
該長方形を左右対称な領域に分ける左右対称軸、および上下対称な領域に分ける上下対称軸で４分割された各象限における折り畳み線が、前記２つの対称軸についてそれぞれ軸対称に配置されており、
該右上の象限における折り畳み線は、少なくとも用紙右上の頂点を含み、前記左右対称軸、前記上下対称軸で区切られた領域内において、
前記左右対称軸と用紙上縁の交点である第１交点から４５度右下方向に延伸し、特定点に至る第１山折り線と、
前記特定点から、更に４５度右下方向に前記上下対称軸まで延伸した第１谷折り線と、
前記特定点から前記左右対称軸に向けて用紙上縁に平行に延伸する第２谷折り線と、
前記特定点から前記左右対称軸に平行に用紙上縁に向けて延伸する第３谷折り線と、
前記第１谷折り線と前記上下対称軸との交点である第２交点から前記左右対称軸に平行に用紙上縁に向けて延伸する第２山折り線と、
前記第２交点から４５度右上方向に用紙右縁まで延伸する第４谷折り線とを有すると共に、
前記４つの象限における第２山折り線より外側の端領域で、且つ、折り畳み時に形成する小領域に、縮小図が印刷され、
前記端領域を除く領域に、前記縮小図を拡大した拡大図が印刷された折り畳み書面。
【請求項２】
請求項１記載の折り畳み書面であって、
前記各折り畳み線で折り畳まれた後、更に、前記左右対称軸で折り畳まれた折り畳み書面。
【請求項３】
請求項１または請求項２記載の折り畳み書面であって、
前記長方形用紙は、真方形用紙である折り畳み書面。
【請求項４】
請求項１または請求項２記載の折り畳み書面であって、
前記長方形用紙は、短辺：長辺＝２：３の用紙である折り畳み書面。
【請求項５】
請求項１ないし請求項４のうちの任意の1つに記載の折り畳み書面であって、
前記第１谷折り線と第２谷折り線より用紙内側の領域の裏面に、補強用の台紙が貼付されている折り畳み書面。
【請求項６】
請求項１ないし請求項５のうちの任意の1つに記載の折り畳み書面であって、
前記４つの象限において第４谷折り線より上下対称軸側の領域の裏面に、補強用の台紙が貼付されている折り畳み書面。
【請求項７】
印刷装置を制御して、長方形の印刷用紙に書面を印刷させる印刷制御装置であって、
前記書面を印刷させる書面印刷制御部と、
該書面を折り畳む際の補助となる補助線を印刷させる補助線印刷制御部とを備え、
前記補助線は、
前記書面の印刷面を表にして、前記印刷用紙を左右方向に横長に配置した場合に、
該長方形の左右、上下方向の対称軸で４分割された各象限における折り畳み線が、前記２つの対称軸についてそれぞれ軸対称に配置されており、
該右上の象限における折り畳み線は、少なくとも用紙右上の頂点を含み、前記左右対称軸、前記上下対称軸で区切られた領域内において、
前記左右対称軸と用紙上縁の交点である第１交点から４５度右下方向に延伸し、特定点に至る第１山折り線と、
前記特定点から、更に４５度右下方向に前記上下対称軸まで延伸した第１谷折り線と、
前記特定点から前記左右対称軸に向けて用紙上縁に平行に延伸する第２谷折り線と、
前記特定点から前記左右対称軸に平行に用紙上縁に向けて延伸する第３谷折り線と、
前記第１谷折り線と前記上下対称軸との交点である第２交点から前記左右対称軸に平行に用紙上縁に向けて延伸する第２山折り線と、
前記第２交点から４５度右上方向に用紙右縁まで延伸する第４谷折り線とを有する折り畳みを実現するための補助線であると共に、
前記書面印刷制御部は、前記４つの象限における第２山折り線より外側の端領域で、且つ、折り畳み時に形成する小領域に、縮小図を印刷し、前記端領域を除く領域に、前記縮小図を拡大した拡大図を印刷する印刷制御装置。
【請求項８】
請求項７記載の印刷制御装置であって、
前記補助線印刷制御部は、前記補助線を前記印刷面の裏面に印刷させる印刷制御装置。
【発明の詳細な説明】
【０００１】
【発明の属する技術分野】
本発明は、容易に折り畳んだり、開いたりすることができる折り畳み書面に関する。
【０００２】
【従来の技術】
紙状体を容易に折り畳んだり、開いたりすることができる折り畳み方法として、例えば、特開昭６２−４６８７１号記載の技術が挙げられる。図９は従来技術としての折り畳み線を示す説明図である。用紙Ｐ１は、図示する山折り線および谷折り線で折り畳まれる。更に、二つ折り状の台紙に貼り付けることにより、取り扱い易くすることができる。この折り畳み方法では、図中の矢印で示すように二つ折りされた台紙を開けることで、書面を容易に見ることができる。書面を開ける際には、例えば、図中の領域Ｐｏを両手の小指等で支持し、右手親指で領域Ｐｒ、左手親指で領域Ｐｌを持てば、比較的開きやすい。
【０００３】
【発明が解決しようとする課題】
しかし、上述した折り畳み方法では、第１に幅Ｌｐの用紙Ｐ１を、せいぜい二つ折りにして幅Ｌｐ／２まで折り畳むことしかできなかった。第２に、折り畳み幅Ｌｐ／２が利用者の片手にあまるような大判の地図の場合には、地図を開けにくくなることがあった。第３に、地図を開く際には、折り畳み幅Ｌｐ／２分の用紙を折り畳まれた状態から完全に開いた状態まで、約９０度回動させることになり、手の動作が比較的大きくなっていた。第４に、書面において最も重要な情報が印刷されていることが多い中央領域Ｐｏで折線が交差するため、この部分が非常に見にくく、また傷みやすかった。
【０００４】
上述の種々の課題は、地図に関わらず種々の書面を折り畳む際に共通の課題であった。本発明は、こうした課題を踏まえ、更に開きやすい折り畳み図面を提供することを目的とする。
【０００５】
【課題を解決するための手段およびその作用・効果】
上記課題の少なくとも一部を解決するために、本発明では、左右方向に横長の長方形用紙に印刷された書面を以下に示す方法で折り畳むものとした。なお、左右方向とは、説明の便宜上、用紙の配置を規定したものに過ぎず、縦長の状態で読むように印刷がされていても構わない。
【０００６】
図１は本発明を理解する上での参考例を示す説明図である。図示する通り、長方形の用紙Ｐに、上下対称軸となるｘｘ軸、左右対称軸となるｙｙ軸を定義する。長方形の用紙は、これらの対称軸で４つの象限Ｓ１〜Ｓ４に分割される。各象限における折り畳み線は、２つの対称軸についてそれぞれ軸対称に配置されている。つまり、第１象限Ｓ１、第４象限Ｓ４における折り畳み線と、第２象限Ｓ２、第３象限Ｓ３における折り畳み線は、ｙｙ軸に軸対称である。第１象限Ｓ１、第２象限Ｓ２における折り畳み線と、第４象限Ｓ４、第３象限Ｓ３における折り畳み線は、ｘｘ軸に軸対称である。
【０００７】
第１象限Ｓ１における折り畳み線は、少なくとも用紙右上の頂点を含み、ｙｙ軸に平行な第１境界線ｙ１、ｘｘ軸に平行な第２境界線ｘ１で区切られた領域内において、
第１境界線ｙ１と用紙上縁の交点である第１交点３１から４５度右下方向に延伸し、特定点３４に至る第１山折り線２１と、
その特定点３４から、更に４５度右下方向に第２境界線ｘ１まで延伸した第１谷折り線１１と、
特定点３４からｙｙ軸に向けて用紙上縁に平行に延伸する第２谷折り線１２と、
特定点３４からｙｙ軸に平行に用紙上縁に向けて延伸する第３谷折り線１３と、
第１谷折り線１１と第２境界線ｘ１との交点である第２交点３２からｙｙ軸に平行に用紙上縁に向けて延伸する第２山折り線２２と、
第２交点３２から４５度右上方向に用紙右縁まで延伸する第４谷折り線１４とを有している。
【０００８】
山折り線とは、折り線が稜線をなすもの、換言すれば、折り線の両側に位置する裏面同士が接する折り線を言う。谷折り線とは、折り線が谷をなすもの、換言すれば、折り線の両側に位置する表面同士が接する折り線を言う。
【０００９】
なお、上述の各折り畳み線で折り畳んだ後、更に、第１境界線ｙ１またはｙｙ軸で折り畳んでもよい。第１境界線ｙ１で折り畳んだ場合には、図１中に示すように、第２谷折り線１２と第１境界線ｙ１との交点である第３交点３３と第１交点３１とを結ぶ第３山折り線２３、および第１境界線ｙ１とｘｘ軸との交点３８と第３交点３３とを結ぶ第６谷折り線１６が現れる。この時、交点３１、３３、３４、３５は第１正方形を形成する。また、交点３１、３７、３２、３６は第２正方形を形成する。ｙｙ軸で折り畳んだ時には、ｙｙ軸に沿って、同様の山折り線、谷折り線が現れる。
【００１０】
第１境界線ｙ１、第２境界線ｘ１で区切られた外の領域の折り線は、これらの境界線の位置によって相違する。例えば、第１境界線ｙ１がｙｙ軸とずれている場合には、第２谷折り線１２は、ｙｙ軸まで延伸する。第２境界線ｘ１がｘｘ軸とずれている場合には、第２交点３２からｙｙ軸に平行にｘｘ軸まで延伸する第５谷折り線１５が現れる。
【００１１】
図２は本発明の一態様としての折り畳み線を示す説明図である。第１境界線ｙ１がｙｙ軸と一致し、第２境界線ｘ１がｘｘ軸と一致している場合を例示した。それぞれ図１中の山折り線、谷折り線、交点等に対応する部位には、対応する番号にサフィックス「Ａ」をつけて表した。この他、第１境界線ｙ１のみがｙｙ軸と一致している状態、第２境界線ｘ１のみがｘｘ軸とずれている状態などで折り畳むことも可能である。
【００１２】
図３は本発明の折り畳み書面について開閉の様子を示す説明図である。図３（ａ）は、折り畳んだ状態を示している。図２で示した折り畳み方法に対応している。図中のハッチングを示した部分は、紙の裏面が現れていることを示す。ｙｙ軸で更に二つに折り畳むことが可能である。
【００１３】
書面を開く場合には、第１段階の開動作として、図中の矢印Ａで示すように、ｙｙ軸を中心として書面を開くと、図３（ａ）の状態となる。次に、第２の開動作として、図中の矢印Ｂで示すように、両端を開くと、図３（ｂ）の斜視図に示す状態を経て、書面を完全に開くことができる。第２の開動作時には、交点３２の裏面を指で支持することが好ましい。
【００１４】
本発明の折り畳み方によれば、左右方向には、第１山折り線２１、第１谷折り線１１の部分、および第３山折り線２３で折り畳まれるため、左右方向の長さｄｙの１／２よりも小さく書面を折り畳むことができる。また、開ける場合には、第３山折り線２３の裏面を指で支持しつつ、側辺を親指で持って開けることができる。用紙の長さｄｙ３の部分を動かすことで書面を開けることができるため、比較的大判の書面でも、小さな手の動作で、容易に扱うことができる。また、左右方向の開閉動作で、上下方向にも書面を開くことができる。
【００１５】
更に、本発明の折り畳み書面では、中央の部分で折り畳み線が交差することが回避される。従って、中央部分が見やすくなるとともに、この部分の傷みを抑制することができる。
【００１６】
本発明に用いる長方形用紙は、真方形用紙であることが好ましい。真方形とは、長辺の中点を結ぶ線で二つに分けてできあがる長方形が、元と相似となる長方形を言う。短辺：長辺が１：√２となる長方形である。例えば、ＪＩＳ（日本工業規格）のＡ列、Ｂ列の各サイズが相当する。
【００１７】
長方形用紙は、「短辺：長辺＝２：３」の用紙としてもよい。特に、図２に対応した折り畳み方を行う場合に有効である。かかる用紙では、図２に中のｄｙ１，ｄｙ２，ｄｙ３を同じ長さにすることができる。従って、図３において裏面が現れる領域Ｂｙをなくすことができ、書面を効率的に折り畳むことができる。
【００１８】
本発明の折り畳み方法で折り畳まれた書面では、４つの象限における第２山折り線２２、２２Ａより外側の端領域が、折り畳み時に対象中心周りに形成する小領域に第１の内容を印刷し、端領域を除く領域に第２の内容を印刷するものとしてもよい。小領域とは、図３（ａ）において表面が現れている矩形領域を言う。この領域を活用することにより、図３（ａ）に示した状態と、完全に開いた状態とで、二つの内容を容易に閲覧することが可能となる。図３（ａ）に示すような隙間のない小領域を形成するためには、第１境界線ｙ１を、ｙｙ軸と一致させることが好ましい。
【００１９】
本発明の折り畳み方によれば、小領域の中心と、開いた状態での中心とが一致するという利点がある。従って、例えば、小領域には縮小図、開いた状態では拡大図を印刷しておくことにより、視点を移動させることなく、２つのスケールの図面を比較することが可能となる。
【００２０】
本発明では、第１谷折り線１１、１１Ａと第２谷折り線１２、１２Ａより内側の領域の裏面に、補強用の台紙を貼付することが好ましい。第２境界線ｘ１がｘｘ軸とずれている場合には、第１谷折り線１１、第２谷折り線１２、および第５谷折り線１５の内側領域の裏面に台紙を貼付する。台紙を貼付することにより、更に取り扱いが容易となる。
【００２１】
台紙は、４つの象限において第４谷折り線１４、１４Ａよりｘｘ軸側の領域の裏面に貼付してもよい。第２境界線ｘ１がｘｘ軸とずれている場合には、第４谷折り線１４、第５谷折り線１５で囲まれる領域の裏面に台紙を貼付する。
【００２２】
本発明は、上述の折り畳み方法を適用した折り畳み書面として構成してもよいし、上述した方法で書面を折り畳む方法として構成してもよい。本発明は、これらの態様に限らず、解決すべき課題が共通する種々の態様で構成可能である。
【００２３】
例えば、上述した折り畳み方法を実現するための補助線を長方形の印刷用紙に書面を印刷させる印刷制御装置として構成してもよい。この印刷制御装置を用いれば、書面を印刷する際に、上述した書面と併せて補助線を印刷させることができる。補助線は、表面に印刷してもよいし、裏面に印刷してもよい。表面に印刷する場合には、先に説明した山折り線、谷折り線をそのまま補助線として印刷すればよい。裏面に印刷する際には、山折り線に相当する部分には、「谷折り線」を意味する補助線、谷折り線に相当する部分には、「山折り線」を意味する補助線を印刷すればよい。
【００２４】
本発明は、さらに、印刷装置を制御してこれらの補助線を印刷する印刷制御方法、かかる印刷制御方法を実現するためのコンピュータプログラム、およびこのコンピュータプログラムを記録したコンピュータ読み取り可能な記録媒体などの態様で構成することができる。
【００２５】
ここで、記録媒体としては、フレキシブルディスクやＣＤ−ＲＯＭ、ＤＶＤ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等、コンピュータが読取り可能な種々の媒体を利用できる。
【００２６】
本発明は、種々の書面に適用可能であるが、特に、地図、設計図、パンフレットなど、頻繁に開閉することが望まれる書面に有用である。
【００２７】
【発明の他の態様】
本発明は、更に、以下に示す態様で構成してもよい。
折り畳み書面であって、
内容が印刷されている一方の面は、少なくとも第１〜第３の３つの領域を有しており、
前記第１の領域は、前記書面を完全に開いた状態で閲覧可能な部位に配置されており、
前記第２および第３の領域は、前記書面を一段階以上折り畳んだ状態で閲覧可能であるとともに、両者が隙間無く一つの小領域を形成するよう配置されており、
該小領域と前記第１の領域とに異なる内容が印刷されている折り畳み書面。
【００２８】
こうすることにより、利用者は、小領域と第１の領域の内容を容易に比較閲覧することが可能となり、書面の利便性が向上する。両者の印刷内容は、一方の面に印刷されるため、比較的容易に書面を印刷することができる利点もある。小領域は、第２および第３の領域のみならず、更に多くの領域によって構成するようにしてもよいし、互いに一部が重なっても構わない。小領域は、例えば、図３に示す領域が相当し、これを構成する第２、第３の領域等は、図２で説明した端領域が相当するが、上記態様では、書面の折り方は、図２に例示したものに限定されるものではない。
【００２９】
小領域と第１の領域に印刷する内容は、任意に選択可能である。例えば、第１の領域に地図を印刷し、小領域には、交通機関の案内その他の地図に即した案内を印刷することができる。
【００３０】
上記態様においては、第１の領域を書面の中央に配置することが好ましい。こうすることにより、書面を開いた状態で第１の領域が閲覧しやすくなる利点がある。
【００３１】
上記態様においては、更に、小領域と第１の領域の中心点が一致することが好ましい。中心点は、折り畳んだ状態で一致することがより好ましいが、少なくとも小領域を閲覧する状態から第１の領域を閲覧する状態までの開閉動作の過程において、一致させられる状態となっていればよい。こうすれば、中心部分について、視点を動かすことなく、二つの内容を比較することができる。
【００３２】
このように中心部分が一致する場合、小領域と第１の領域には、スケールの異なる２種類の図面を印刷することが好ましい。更に、この２種類の図面は、中心部分を一致させることが好ましい。例えば、地図として構成する場合、第１の領域に詳細な地図を印刷し、小領域には広域の地図を印刷することができる。装置の設計図として構成する場合、第１の領域に特定の部品についての部品図を示し、小領域には全体の組み立て図を示すことができる。２種類の図面は、必ずしも第１の領域の方が拡大図に相当する必要はなく、小領域に拡大図を印刷しても構わない。
【００３３】
【発明の実施の形態】
本発明の実施の形態について、以下の順序で説明する。
Ａ．折り畳み方法：
Ｂ．小領域の活用：
Ｃ．地図印刷システム：
Ｄ．変形例：
【００３４】
Ａ．折り畳み方法：
図４は実施例としての書面の折り畳み方法を示す説明図である。ここでは、真方形の用紙に印刷された書面を折り畳む場合を例示した。
【００３５】
まず、図４（ａ）に示す通り、用紙を横長に置き、縦辺を４等分する折り目Ｌ１〜Ｌ３を付ける。次に、折り目Ｌ１にそって、矢印の方向に折る。図４（ｂ）は、折った状態を示している。ハッチングを付した部分は、用紙裏面を示している。このように折った後、図４（ｂ）の矢印ｂ１で示すように谷折り線Ｌ４に沿って折り、矢印ｂ２で示すように山折り線Ｌ５に沿って折る。図４（ｃ）は、折った後の状態を示している。次に、矢印に沿って、谷折り線Ｌ６に沿って折り上げる。以上の工程を、図４（ａ）の下側についても同様に行う。
【００３６】
図５は折り畳み方法の続きを示す説明図である。用紙の上下それぞれについて図４に示したように折ることによって、図５（ａ）の状態となる。図５（ｂ）には、この状態での斜視図を示した。この状態から、矢印で示すように、両端をふくろ折りすることで、図５（ｃ）の状態となり、折り畳みは完成する。これは、先に図３（ａ）に示した折り畳み状態に相当する。
【００３７】
図中に示す領域Ａｔ１、Ａｔ２に矩形の台紙を貼付して補強してもよい。領域Ａｔ１は、両端に裏面が現れる三角形状の領域である。領域Ａｔ２は、裏面の６角形状の領域である。図５（ｄ）に台紙ｍｔを貼付した状態を示す。台紙は、領域Ａｔ２にのみ貼付しても差し支えないが、図示するように台紙の両端を折り曲げて領域Ａｔ１にも貼付することにより、書面の開閉動作が行いやすくなる利点がある。
【００３８】
以上で説明した折り畳み方法によれば、先に図２および図３で説明した通り、開閉が容易な折り畳み書面を実現することができる。上述の例では、真方形用紙を利用した場合を例示したが、真方形に限らず種々の横長の長方形用紙を利用可能である。また、図４および図５で示した折り畳み方法は、例示に過ぎず、この他にも、種々の手順で折り畳むことが可能である。
【００３９】
Ｂ．小領域の活用：
図６は折り畳み書面における小領域の活用方法を示す説明図である。図６（ａ）は書面を折り畳んだ状態を示し、図６（ｂ）は書面を開いた状態を示している。斜線でハッチングを付した部分は、用紙の裏面が現れている部分を意味する。
【００４０】
図６（ａ）に示すように、折り畳み時には、表面の一部の領域Ｓａ〜Ｓｄが中央に集まり、一つの小領域を形成する。本実施例では、この領域に、縮小図を印刷した。
【００４１】
図６（ｂ）に示すように、書面を開いた状態では、領域Ｓａ〜Ｓｄは書面の４隅にそれぞれ位置し、第３山折り線２３で挟まれた幅Ｌの主領域には、自由に活用することができる。本実施例では、ここに拡大図を印刷した。
【００４２】
このように、印刷することにより、折り畳み状態と開いた状態とで、２種類の書面を容易に参照することが可能となる。２種類の書面の中心はずれないため、本実施例のように縮小図と拡大図を示すことにより、視点を移動させることなく、両者の比較をしながら閲覧することができる。
【００４３】
図６に示したのは一例に過ぎず、小領域と主領域の印刷内容は、任意に設定可能である。例えば、小領域にはイベントのスケジュールを印刷し、主領域には、イベント会場図を印刷するようにしてもよい。
【００４４】
Ｃ．地図印刷システム：
図７は実施例としての地図印刷システムの構成を示す説明図である。地図を印刷するとともに、図２に示した折り畳み線を併せて印刷することにより、本発明の折り畳み方で書面を折り畳む支援をするシステムである。
【００４５】
地図印刷システムは、コンピュータＰＣとプリンタＰＲＴとを接続し、コンピュータＰＣに地図印刷用のアプリケーションソフトウェアおよびプリンタドライバをインストールすることによって実現される。図中には、コンピュータＰＣにインストールされるソフトウェアの機能を機能ブロックとして示した。各機能ブロックは、主制御部１０３の制御の下、同期をとって動作する。なお、各機能ブロックを、それぞれハードウェア的に用意して本実施例のシステムを構築しても構わない。
【００４６】
コマンド入力部１０２は、キーボードなどの入力装置を介して、利用者からのコマンドを入力する。地図の印刷に関するコマンドとしては、例えば、印刷領域の指定、折り畳み線の有無の指定などが含まれる。
【００４７】
表示制御部１０５は、ディスプレイの表示を制御する。表示内容としては、例えば、利用者から指定された領域の地図、印刷等に使用されるモード設定用のアイコンなどが挙げられる。
【００４８】
地図データ参照部１０６は、地図データベースを参照し、必要な部分を抽出する機能を奏する。本実施例では、地図データベースは、ＤＶＤなどのメディアＭによって与えられるものとした。地図データベースは、コンピュータＰＣのハードディスクに記憶させておいてもよいし、インターネットなどのネットワークを介して配信するものとしてもよい。
【００４９】
印刷制御部１０４は、印刷用の画像データをプリンタドライバ１１０に供給する機能を奏する。利用者によって折り畳み線の印刷が指定されている場合には、地図データと、折り畳み線データとを併せて画像データとして提供する。折り畳み線データは、図２に示した谷折り線および山折り線の形状として、予め折り畳み線データベース１０７に記憶されている。
【００５０】
プリンタドライバ１１０は、受け取った地図データおよび折り畳み線データを、プリンタＰＲＴに供給するための印刷データに変換する。プリンタＰＲＴは、この印刷データを受け取って、地図および折り畳み線の印刷を実行する。
【００５１】
図８は印刷制御処理のフローチャートである。コンピュータＰＣのＣＰＵが、印刷すべき地図の領域の設定、印刷コマンドの入力という利用者の操作に応じて実行する処理である。
【００５２】
この処理が開始されると、ＣＰＵは印刷対象領域の地図データを入力する（ステップＳ１０）。折り畳み線の印刷が指定されていない場合には、この地図データが印刷用の画像データとなる。
【００５３】
折り畳み線の印刷が指定されている場合には（ステップＳ１１）、折り畳み線データベース１０７から折り畳み線データを入力し（ステップＳ１２）、地図データと併せて画像データを生成する。
【００５４】
本実施例では、折り畳み線と地図とを同一の面に印刷する片面印刷モードと、両面に印刷する両面印刷モードとを設けた。片面印刷モードが指定されている場合には（ステップＳ１３）、ＣＰＵは折り畳み線と地図データとを合成して画像データを生成する（ステップＳ１４）。
【００５５】
両面印刷モードが指定されている場合には（ステップＳ１３）、表面に地図データ、裏面に折り畳み線が印刷されるよう、画像データを生成する（ステップＳ１５）。この際、折り畳み線は、図２に示した谷折り線を「山折り線」、山折り線を「谷折り線」に変換される。裏面に印刷する場合には、このように変換することにより、適切な折り畳みが実現されるからである。
【００５６】
利用者の指定に応じて画像データが用意されると、ＣＰＵは、これをプリンタドライバに出力し、その機能に印刷データを生成し（ステップＳ１６）、印刷データをプリンタＰＲＴに転送して（ステップＳ１７）、印刷を実行させる。
【００５７】
以上で説明した本実施例の地図印刷システムによれば、折り畳み線を付して地図を印刷することができるため、利用者は容易に本発明の折り畳み方法で地図を折り畳むことができる。
【００５８】
実施例の地図印刷システムでは、次に示す種々の変形例を構成することができる。例えば、折り畳み線は、図２に示したものに限らず、図９に示した折り畳み線を印刷してもよいし、これらから利用者が選択可能としてもよい。
【００５９】
図６に示した２つのスケールの地図を、それぞれの領域に印刷するものとしてもよい。片面印刷モード、両面印刷モードのいずれか一方のみを用いてもよい。印刷内容は、地図には限定されない。
【００６０】
以上、本発明の種々の実施例について説明したが、本発明はこれらの実施例に限定されず、その趣旨を逸脱しない範囲で種々の構成を採ることができることはいうまでもない。例えば、本発明は、図２に示した折り畳み線を予め付した印刷用紙として構成してもよい。この印刷用紙を用いて書面を印刷することにより、利用者は図７で示したアプリケーションを利用するまでなく、本発明の折り畳み方法を容易に実現することが可能となる。
【図面の簡単な説明】
【図１】  本発明を理解する上での参考例を示す説明図である。
【図２】本発明の一態様としての折り畳み線を示す説明図である。
【図３】本発明の一態様としての折り畳み書面の開閉の様子を示す説明図である。
【図４】実施例としての折り畳み方法を示す説明図である。
【図５】折り畳み方法の続きを示す説明図である。
【図６】折り畳み書面における小領域の活用方法を示す説明図である。
【図７】実施例としての地図印刷システムの構成を示す説明図である。
【図８】印刷制御処理のフローチャートである。
【図９】従来技術としての折り畳み線を示す説明図である。
【符号の説明】
１１…第１谷折り線
１２…第２谷折り線
１３…第３谷折り線
１４…第４谷折り線
１５…第５谷折り線
２１…第１山折り線
２２…第２山折り線
２３…第３山折り線
３１〜３５…交点
１０２…コマンド入力部
１０３…主制御部
１０４…印刷制御部
１０５…表示制御部
１０６…地図データ参照部
１０７…線データベース
１１０…プリンタドライバ
【図１】
0004299493.tif 000002
【図２】
0004299493.tif 000003
【図３】
0004299493.tif 000004
【図４】
0004299493.tif 000005
【図５】
0004299493.tif 000006
【図６】
0004299493.tif 000007
【図７】
0004299493.tif 000008
【図８】
0004299493.tif 000009
【図９】
0004299493.tif 000010